(57)【特許請求の範囲】
【請求項１】
側端が折曲がった状態で連続して流れるシートにおいて、該端部の折曲がり部に対してこれにブラシを挟み込む機構と、これをシート外側へ引起す機構を連動して折曲がりを引起して平坦状にすることを特徴とするシート側端部の折曲がり矯正装置。
【発明の詳細な説明】
【０００１】
【産業上の利用分野】
本発明は、ＳＭＣシート等の自動機械において、連続して流れるシートの側端の折曲がり部を自動的に引起して平坦状に矯正する装置に関するものである。
【０００２】
【従来の技術】
従来、強化プラスチック製品の成形材料として使用されるＳＭＣ（シートモールディングコンパウンド）は、シートの上下面を幅広のポリエチレン或いはポリプロピレン等のフィルムで覆われ、棒状にロール状に巻かれているか、或いは箱内にジグザグ状に折り畳まれている。これらのＳＭＣは、製造過程或いは貯蔵、輸送過程で、そのシート端部のフイルムが内方に折返された状態になる場合がある。そしてＳＭＣシートはこのロール体或いは箱から引出して上下面のフィルムを剥離した後、自動切断機により設定長さに切断するが、この切断前に端が折曲がった状態のＳＭＣシートからフィルムを剥離すると、ＳＭＣシートが破れ或いは機械への詰まり等のトラブルが発生する虞がある。
そのためシート側端の折曲がりを引起して平坦状に矯正する装置として、特開平４−２９０７１０号公報に開示されている装置が知られている。この装置は図４のようにシート１１の流れ方向に対し傾斜した２つの円筒Ａでシート端を挟み、シートが流れる時に円筒母線と垂直方向に発生する力を利用してシート端の折れ１１ａを引起していた。
また図５のようにシート１１の中心部より互いに反対方向に螺旋状に形成したブラシＢをシャフトに取付けて回転し、このブラシＢの先端と折曲がり部１１ａとを接触させてシートの折曲がり部１１ａを起すようにしたものが知られている。
【０００３】
【発明が解決しようとする課題】
しかしながら、上記前者の装置では供給されるシートが折曲がっていない場合には、シートが外側へ引きちぎられ、また２つの円筒からシートが外れた場合には、二度と独りでにシートが挟みこまれないという間題があり、また後者の装置ではブラシとシートが点接触となるため、十分なフィルム起し効果が得られな等の問題があった。
そこで、本発明は、上記従来技術の間題点に鑑み、これを解決すべくなされたものであって、ブラシで挟み込む機構と引起す機構によって、シートを切断することなく確実に折曲がり部を矯正することのできる装置を得ることを目的としたものである。
【０００４】
【課題を解決するための手段】
これを解決する手段として、本発明は、側端が折曲がった状態で連続して流れるシートにおいて、該端部の折曲がり部に対してこれにブラシを挟み込む機構と、これをシート外側へ引起す機構を連動して折曲がりを引起して平坦状にするようにしたものである。
【０００５】
【実施例】
本発明の構成を図面で示す実施例について以下詳細に説明する。
矯正装置１は、ベース２上に設置したシート引起し用エアシリンダー３のピストンロッド４先端の支持体５をベース２の上に設置したリニアスライドベアリング６に摺動自在に係合すると共に、該支持体５に取付けたコ字状の固定アーム７の上下に突設したアーム先端に各々シート端挟持用エアシリンダー８を取付け、該エアシリンダー８のピストンロッド９の先端に互いに対向するように各々ブラシ１０を接離可能に取付けて構成されている。
そしてこの矯正装置１は、両側端が折曲がった状態で連続して流れるシート１１の両側の対称位置に各々矯正装置１Ａ、矯正装置１Ｂを設置し、またその長手方向にも間隔を置いた対称位置に各々矯正装置１Ｃ、矯正装置１Ｄを配設する。
【０００６】
このように構成されているので、この矯正装置１は（Ｉ）乃至（Ｖ）の状態で順次作動する。即ち（Ｉ）はシート端挟持用エアシリンダー８によりピストンロッド９は縮小しており、その先端の上下に対向するブラシ１０は互いに開いた状態にあり、またシート引起し用エアシリンダー３はピストンロッド４を縮小し、開いた状態のブラシ１０をシート１１側端外の離れた位置に待機させる。（ＩＩ）はシート引起し用エアシリンダー３の作動によってピストンロッド４を伸長し、リニアスライドベアリング６に沿って支持体５を摺動して、その先端の固定アーム７上下に設けた両ブラシ１０をシート端の折曲がり部１１ａ位置に移動させる。
（ＩＩＩ）はシート端挟持用エアシリンダー８の作動により両ブラシ１０が折曲がり部１１ａを上下より互いに近接して挟み込んだ状態を示す。（ＩＶ）はブラシ１０がシート１１を挟んだ状態でシート引起し用エアシリンダー３のピストンロッド４が縮小後退してシート１１の折曲がり部１１ａは引起されて平坦状となる。
（Ｖ）はシート端挟持用エアシリンダー８によりピストンロッド９は縮小してブラシ１０が互いに離間して引伸ばされたシート１１を開放する。これによって初期状態の（Ｉ）の状態に戻る。
このようにシート１１の折曲がり部１１ａは上記（ＩＩＩ）の両ブラシ１０が折曲がり部１１ａを上下より挟み込んだ状態から（ＩＶ）のブラシ１０がシート１１を挟んだ状態で側端外に引戻された状態になる時にシート１１の折曲がり部１１ａは引起されて平坦状に矯正される。
そしてこの矯正装置１は図１のようにシート１１の長手方向に２段配置され、各矯正装置１である矯正装置１Ａ、矯正装置１Ｂ、矯正装置１Ｃ、矯正装置１Ｄは下記の表１に示すような動作タイミングで作動するものである。
【０００７】
【表１】
0003658693.tif 000002
【０００８】
即ち、矯正装置１Ｃおよび矯正装置１Ｄのブラシ１０がシートの折曲がり部１１ａを上下より挟み込んで側端外に引戻る（ＩＩＩ）から（ＩＶ）の作動状態の時、矯正装置１Ａおよび矯正装置１Ｂは開いた状態のブラシ１０がシート１１の側端外に離れた（Ｉ）の状態から、上下に両ブラシ１０がシート端の位置に移動する（ＩＩ）の待機状態にあって、矯正装置１Ａおよび矯正装置１Ｂと、矯正装置１Ｃおよび矯正装置１Ｄは交互に交替してシートの折曲がり部１１ａを引起して平坦状に作動し、端広げ効果の断続性の欠点を補ない連続して確実にシートの折曲がり部１１ａを引起すことができる。
【０００９】
この実施例では矯正装置１を２段配置したが、これに限らず複数段配置しても良い。
【００１０】
【発明の効果】
以上、実施例について詳述したように、本発明の矯正装置は、シートの折曲がり部をブラシで上下から挟み込むものであるため、シートの形状及び厚さ、折曲がりの程度によらず、シートの折曲がり部を確実に挟み込むことができる。またブラシの硬度を変えることによって、各種強度のシートを破損することなく矯正することができる。さらにシートを上下から挟みつけることによりシートの矯正動作に十分な力をかけることができ、折曲がり癖が強いシートでも矯正することができるものである。特に本発明の矯正装置を、側端が折曲がった状態で連続して流れるシートを処理する自動機械のフィルム剥離前に設置したので、シートの折れ部を矯正することにより、シートの破れ、機械への詰まり等、自動機械のトラブルの発生を防止できる優れた効果を有するものである。
【図面の簡単な説明】
【図１】本発明の矯正装置をシートに配設した全体の概略斜視図
【図２】本発明の矯正装置の側面図
【図３】本発明の矯正装置の作動状態で各作動時を（Ｉ）乃至（Ｖ）で示す側面図
【図４】公知例１で（ａ）は平面図、（ｂ）は側面図
【図５】公知例２で（ａ）は平面図、（ｂ）は側面図
【符号の説明】
１        矯正装置
２        ベース
３        シート引起し用エアシリンダー
４、９    ピストンロッド
５        支持体
６        リニアスライドベアリング
７        固定アーム
８        シート端挟持用エアシリンダー
１０      ブラシ
１１      シート
１１ａ    折曲がり部
【図１】
0003658693.tif 000003
【図２】
0003658693.tif 000004
【図３】
0003658693.tif 000005
【図４】
0003658693.tif 000006
【図５】
0003658693.tif 000007